(57)【要約】【課題】外装材を建物の壁下地に強固に取り付けることができる外装材取付金具を提供する。【解決手段】下端に下方へ開口する係合凹所１３を設け、上端に上方へ突出する係合凸部１４を設けて形成された外装材１２を建物の壁下地１５に取り付けるための外装材取付金具１に関する。壁下地１５に固定される固定板２と、固定板２から前方に突出して設けられた水平片３と、水平片３の前端から上方に突出して設けられ、上側に取り付けられる外装材１２の係合凹所１３に挿入して係合することによって外装材１２を支持する上支持片４と、水平片３の前端から下方に突出して設けられ、下側に取り付けられる外装材１２の係合凸部１４に引っ掛けて係合することによって外装材１２を支持する下支持片５と、を備えて形成されている。上支持片４の先端が係合凹所１３内の後面に接触する。上支持片４と係合凹所１３内の後面１３ａとが非平行である。【選択図】図１
2014145207.tif 000002
【特許請求の範囲】
【請求項１】
下端に下方へ開口する係合凹所を設け、上端に上方へ突出する係合凸部を設けて形成された外装材を建物の壁下地に取り付けるための外装材取付金具であって、
前記壁下地に固定される固定板と、
前記固定板から前方に突出して設けられた水平片と、
前記水平片の前端から上方に突出して設けられ、上側に取り付けられる外装材の前記係合凹所に挿入して係合することによって前記外装材を支持する上支持片と、
前記水平片の前端から下方に突出して設けられ、下側に取り付けられる外装材の前記係合凸部に引っ掛けて係合することによって前記外装材を支持する下支持片と、
を備えて形成され、
前記上支持片の先端が前記係合凹所内の後面に接触すると共に、前記上支持片と前記係合凹所内の後面とが非平行であることを特徴とする外装材取付金具。
【請求項２】
下端に下方へ開口する係合凹所を設け、上端に上方へ突出する係合凸部を設けて形成された外装材を建物の壁下地に取り付けるための外装材取付金具であって、
前記壁下地に固定される固定板と、
前記固定板から前方に突出して設けられた水平片と、
前記水平片の前端から上方に突出して設けられ、上側に取り付けられる外装材の前記係合凹所に挿入して係合することによって前記外装材を支持する上支持片と、
前記水平片の前端から下方に突出して設けられ、下側に取り付けられる外装材の前記係合凸部に引っ掛けて係合することによって前記外装材を支持する下支持片と、
を備えて形成され、
前記下支持片の先端が前記係合凸部の前面に接触すると共に、前記下支持片と前記係合凸部の前面とが非平行であることを特徴とする外装材取付金具。
【発明の詳細な説明】
【技術分野】
【０００１】
本発明は、窯業系サイディング材等の外装材を建物の壁下地に取り付けるために用いられる外装材取付金具に関するものである。
【背景技術】
【０００２】
従来、建物の壁の上下方向に沿って取り付けられる外装材を建物の壁に固定するための外装材取付金具としては、例えば、特許文献１に記載のものが知られている。この外装材取付金具は、固定板と、水平片と、上支持片と、下支持片とを備えている。
【０００３】
ここで、固定板は、建物の壁下地に取り付けて固定されるものである。また水平片は、固定板の中央で前方に突出して設けられたものである。また上支持片は、水平片の前端から上方に突出して設けられ、上側に取り付けられる外装材の下端部を係合して支持するものである。また下支持片は、水平片の前端から下方に突出して設けられ、下側に取り付けられる外装材の上端部を係合して支持するものである。
【０００４】
具体的には外装材は、下端に下方へ開口する係合凹所を設け、上端に上方へ突出する係合凸部を設けて形成されている。係合凹所の後方には後凸部が設けられている。そして、外装材取付金具の上支持片を上側の外装材の下端の後凸部に係合させて支持すると共に、外装材取付金具の下支持片を下側の外装材の上端の係合凸部に係合させて支持する。
【０００５】
さらに上記の外装材取付金具には、受け止め片が設けられている。この受け止め片は、少なくとも一部が水平片よりも上方に位置し、上側に取り付けられる外装材の下端部に当接してその荷重の少なくとも一部を受け止めるものである。よって、下側に取り付けられる外装材に多大な荷重を掛けることなく外装材を取り付けることができ、外装材の破損や変形を防止することができるものである。
【先行技術文献】
【特許文献】
【０００６】
【特許文献１】国際公開第２０１１／０４０５１５号
【発明の概要】
【発明が解決しようとする課題】
【０００７】
しかし、特許文献１に記載の外装材取付金具にあっては、外装材取付金具の上支持片は、上側の外装材の下端の後凸部とほぼ隙間なく係合して支持し、外装材取付金具の下支持片は、下側の外装材の上端の係合凸部とほぼ隙間なく係合して支持している。この場合、例えば負圧などにより外装材を建物から引き剥がす方向に想定以上の外力が作用すると、特に外装材の下端の後凸部の先端の動きが外装材取付金具の上支持片の根元付近で規制されると共に、外装材の上端の係合凸部の先端の動きが外装材取付金具の下支持片の根元付近で規制される。そうすると、後凸部の先端からその根元付近まで、及び係合凸部の先端からその根元付近までの長さに応じた力のモーメントが発生し、後凸部及び係合凸部の根元付近に応力が集中して、使用環境によっては後凸部及び係合凸部が欠損するおそれがある。そのため外装材の取付強度のさらなる向上が求められている。また当然のことながら後凸部及び係合凸部は、外装材の厚さよりも薄く形成しなければならないが、強度向上のために後凸部及び係合凸部の厚さを厚くするのにも限界がある。
【０００８】
本発明は上記の点に鑑みてなされたものであり、外装材を建物の壁下地に強固に取り付けることができる外装材取付金具を提供することを目的とするものである。
【課題を解決するための手段】
【０００９】
本発明に係る外装材取付金具は、下端に下方へ開口する係合凹所を設け、上端に上方へ突出する係合凸部を設けて形成された外装材を建物の壁下地に取り付けるための外装材取付金具であって、
前記壁下地に固定される固定板と、
前記固定板から前方に突出して設けられた水平片と、
前記水平片の前端から上方に突出して設けられ、上側に取り付けられる外装材の前記係合凹所に挿入して係合することによって前記外装材を支持する上支持片と、
前記水平片の前端から下方に突出して設けられ、下側に取り付けられる外装材の前記係合凸部に引っ掛けて係合することによって前記外装材を支持する下支持片と、
を備えて形成され、
前記上支持片の先端が前記係合凹所内の後面に接触すると共に、前記上支持片と前記係合凹所内の後面とが非平行であることを特徴とするものである。
【００１０】
本発明に係る外装材取付金具は、下端に下方へ開口する係合凹所を設け、上端に上方へ突出する係合凸部を設けて形成された外装材を建物の壁下地に取り付けるための外装材取付金具であって、
前記壁下地に固定される固定板と、
前記固定板から前方に突出して設けられた水平片と、
前記水平片の前端から上方に突出して設けられ、上側に取り付けられる外装材の前記係合凹所に挿入して係合することによって前記外装材を支持する上支持片と、
前記水平片の前端から下方に突出して設けられ、下側に取り付けられる外装材の前記係合凸部に引っ掛けて係合することによって前記外装材を支持する下支持片と、
を備えて形成され、
前記下支持片の先端が前記係合凸部の前面に接触すると共に、前記下支持片と前記係合凸部の前面とが非平行であることを特徴とするものである。
【発明の効果】
【００１１】
本発明によれば、外装材の下端部の支持部分に発生する力のモーメントを小さくすることができるため、外装材が欠損しにくくなることによって、外装材が剥がれにくくなり、外装材を建物の壁下地に強固に取り付けることができるものである。
【００１２】
本発明によれば、外装材の上端部の支持部分に発生する力のモーメントを小さくすることができるため、外装材が欠損しにくくなることによって、外装材が剥がれにくくなり、外装材を建物の壁下地に強固に取り付けることができるものである。
【図面の簡単な説明】
【００１３】
【図１】本発明に係る外装材取付金具の実施の形態の一例を示すものであり、（ａ）は正面図、（ｂ）は側面図である。
【図２】同上の実施の形態の一例を示す平面図である。
【図３】同上の実施の形態の一例を示すものであり、（ａ）は図１のＡ−Ａ断面図、（ｂ）は図１のＢ−Ｂ断面図である。
【図４】同上の実施の形態の一例を示すものであり、（ａ）は図１のＣ−Ｃ断面図、（ｂ）は図１のＤ−Ｄ断面図である。
【図５】本発明に係る外装材取付金具を用いて形成された外装材取付構造の一例を示す概略断面図である。
【図６】（ａ）は比較説明のために従来の外壁材取付構造における上支持片及び下支持片の部分を拡大して示す概略断面図、（ｂ）は本発明に係る外壁材取付構造における上支持片及び下支持片の部分を拡大して示す概略断面図である。
【発明を実施するための形態】
【００１４】
以下、本発明の実施の形態を説明する。
【００１５】
図１〜図４は本発明に係る外装材取付金具１の実施の形態の一例を示すものであり、図５はこの外装材取付金具１を用いて外装材１２を建物の壁下地１５に取り付けて形成された外装材取付構造の一例を示すものである。
【００１６】
図１に示すように外装材取付金具１は、固定板２と、水平片３と、上支持片４と、下支持片５と、突出片６と、内向き片７と、外向き片８とを備えて形成されている。外装材取付金具１は、金属板を適宜切断したり折り曲げたりして加工することによって得ることができる。水平片３、上支持片４、下支持片５、突出片６、内向き片７、外向き片８は、固定板２の一部を切り起こして形成することができる。
【００１７】
固定板２は、外装材取付金具１の本体を構成し、図５に示すように建物の壁下地１５に固定されるものである。固定板２には、固定用孔１０が設けられている。図５に示すように固定用孔１０に、釘、ビス、ネジ等の固定具１６を差し込んで壁下地１５に打ち付けることによって固定板２を固定することができる。固定板２の上端部には第一リブ１７が設けられている。第一リブ１７は、上斜面１７ａ及び下斜面１７ｂで形成されている。第一リブ１７は、固定板２の左右方向の略全長に亘って、上斜面１７ａ及び下斜面１７ｂの境界部分で前方に突出するように屈曲して断面略Ｌ字状に形成されている。固定板２の下端部には、左右方向の略全長に亘って前方に突出するように屈曲して断面略Ｃ字状に形成された第二リブ１８が形成されている。第一リブ１７及び第二リブ１８によって外装材取付金具１の強度が高められる。固定用孔１０は複数設けることができるが、少なくとも１つの固定用孔１０ａは、第一リブ１７よりも下側において、水平片３よりも上側の近傍に設けられている。この固定用孔１０ａは固定板２の左右方向の略中央に設けられ、固定用孔１０ａの両側には、強度を高めるため、第一リブ１７の下斜面１７ｂから水平片３に至るまで上下方向に第三リブ２０が前方に突出して形成されている。その他の固定用孔１０ｂは第一リブ１７の上斜面１７ａに複数設けられている。さらに強度を高めるため、固定板２の上端縁から第一リブ１７の上斜面１７ａに至るまで上下方向に第四リブ２１が前方に突出して形成されている。
【００１８】
水平片３は、固定板２の上下方向の略中央から前方に突出して設けられている。水平片３は、固定板２の略下半分を切り起こして形成されているので、固定板２の下部には開口部１９が形成されている。水平片３の中央部には水平凸部２２が形成されている。水平凸部２２は、上方に突出し、上部が略平面となっている。水平凸部２２はリブとして機能し、特に水平片３の強度を高めることができる。図２に示すように、水平凸部２２には、Ｕ字状のスリット２３が形成され、この内側に受止片２４が形成されている。受止片２４は、先端を前方に向け、水平凸部２２の上面より突出するようにわずかに傾斜して設けられている。固定板２と水平片３との境界部分には、図１及び図２に示すように、強度を高めるため、第五リブ２５が形成されている。
【００１９】
上支持片４は、水平片３の前端から上方に突出して設けられ、上側に取り付けられる外装材１２を支持するものである。上支持片４は、分断することなく、水平片３の左右方向の略全長に亘って連続して設けられている。上支持片４の固定用孔１０ａに対応する位置において、上支持片４の少なくとも下端を残して欠損部１１が設けられている。例えば、図１に示す欠損部１１は、上支持片４の先端を切り欠いて水平片３の前端には至らないように設けられている。より具体的にはこの欠損部１１は、上支持片４の先端を略半円状に切り欠いて両側にＲを付けて形成されているが、このような形状に限定されるものではない。すなわち、図示省略しているが、欠損部１１は、上支持片４の上端及び下端を残して円形等の貫通孔として設けてもよい。欠損部１１は、固定用孔１０ａに固定具１６を差し込む場合に、上支持片４が固定具１６の差し込みの障害とならないように、固定具１６の差し込みを容易にするためのものである。水平片３の前端の左右方向の両端において、水平片３と上支持片４との境界部分には、強度を高めるため、第六リブ２６が上方に突出して形成されている。
【００２０】
下支持片５は、水平片３の前端から下方に突出して設けられ、下側に取り付けられる外装材１２を支持するものである。下支持片５は、２つに分断して設けられているが、上支持片４と同様に連続して設けられていてもよい。下支持片５の先端付近の後面には突起部２７が設けられている。
【００２１】
突出片６は、水平片３の突出長さよりも短い長さとなるように、固定板２の左右両端から前方に突出して設けられている。突出片６によって、図５に示すように外装材１２と壁下地１５との間に通気スペース２８を形成することができる。
【００２２】
内向き片７は、突出片６の前端から固定板２と略平行に、かつ固定板２の側（内側）に延出して設けられている。突出片６において内向き片７は、水平片３よりも下側に設けられ、左右両側の突出片６に設けられた内向き片７の上端縁で水平片３の左右両側の下面を支持している。このように、水平片３に対して略垂直な内向き片７で水平片３を支持することによって、上側の外装材１２の下方への荷重が水平片３に掛かっても、水平片３が垂れ下がりにくくなり、外装材１２のがたつきを抑制することができるものである。
【００２３】
外向き片８は、突出片６の前端から固定板２と略平行に、かつ固定板２の側と反対側（外側）に延出して設けられている。突出片６において外向き片８は、内向き片７の上下に互い違いとなるように設けられている。このように、突出片６に内向き片７及び外向き片８が互い違いに設けられていることによって、突出片６の変形を抑制することができるものである。
【００２４】
特に図１に示すように、突出片６において水平片３よりも高い位置から内向き片７の下端縁よりも低い位置に至るまで補強用リブ９が外側に突出して形成されていることが好ましい。このように補強用リブ９が形成されていると、突出片６の変形をさらに抑制することができるものである。
【００２５】
次に、上記の外装材取付金具１を用いて、外装材１２を建物の壁下地１５に取り付けて図５に示すような外装材取付構造を形成する方法について説明する。
【００２６】
外装材１２としては、矩形状のものを用いることができる。外装材１２は、下端の略全長に下方へ開口する係合凹所１３を設け、上端の略全長に上方へ突出する係合凸部１４を設けて形成されている。係合凹所１３の前方には前凸部２９が設けられ、係合凹所１３の後方には後凸部３０が設けられている。係合凹所１３の底面からの突出長さは、前凸部２９が長く、後凸部３０が短い。係合凸部１４の前方には段差部３１が設けられている。
【００２７】
まず、下側の外装材１２の取り付けを行った後に、この外装材１２の上方から外装材取付金具１を下方に移動させながら、下支持片５と突出片６との間にこの外装材１２の係合凸部１４を被挿し、下支持片５を係合凸部１４に引っ掛けて係合する。この状態で固定板２の固定用孔１０に固定具１６を差し込んで壁下地１５に打ち付けることによって外装材取付金具１を固定する。このとき下支持片５の突起部２７が係合凸部１４の前面１４ａに突き当たったり食い込んだりすることによって、外装材１２のがたつきを抑制することができる。
【００２８】
また、係合凸部１４の前面１４ａの上端部付近と下支持片５との間には隙間が形成されるようにしている。これにより、外装材１２に外力が作用しても、係合凸部１４の根元付近が下支持片５の先端付近で動きが規制されて外力を受けることとなり、外装材１２の上端部の支持部分である係合凸部１４に発生する力のモーメントをできる限り小さくすることができる。そのため外装材１２の特に係合凸部１４が欠損しにくくなる。
【００２９】
上側の固定用孔１０ｂに固定具１６を差し込む場合には、上支持片４は、固定具１６の差し込みの障害とはなりにくい。そのため、固定箇所は、上側の固定用孔１０ｂのみでもよさそうであるが、外装材１２の荷重が掛かる水平片３と、上側の固定用孔１０ｂとの距離が長いため、外装材取付金具１の取付強度を十分に高めにくい。そこで、下側の固定用孔１０ａにも固定具１６を差し込むことが望ましい。この場合、水平片３と下側の固定用孔１０ａとの距離が短くなって両者が近接するので、外装材取付金具１の取付強度を十分に高めることができるものである。ところが、下側の固定用孔１０ａに固定具１６を差し込む場合には、上支持片４が固定具１６の差し込みの障害となり得る。そこで、上支持片４に欠損部１１を設けることによって、容易に固定具１６を水平方向に差し込むことができるようにしたものである。しかも図５に示すように、上側の固定用孔１０ｂ及び下側の固定用孔１０ａのそれぞれに差し込まれる固定具１６の打ち込み角度が異なるため、壁下地１５に対する外装材１２の取付強度をさらに高めることができるものである。
【００３０】
次に、上側の外装材１２を外装材取付金具１の上方から下方に移動させ、前凸部２９を上支持片４及び下支持片５よりも前方に配置しながら、後凸部３０を上支持片４と突出片６との間に挿入し、上支持片４を係合凹所１３に挿入して係合する。これにより、上側の外装材１２の前凸部２９の下面が、下側の外装材１２の段差部３１の上面に近接又は接触し、前凸部２９によって外装材取付金具１の全体が覆い隠される。
【００３１】
また、係合凹所１３の後面１３ａの下端部付近と上支持片４との間には隙間が形成されるようにしている。これにより、外装材１２に外力が作用しても、後凸部３０の根元付近が上支持片４の先端付近で動きが規制されて外力を受けることとなり、外装材１２の下端部の支持部分である後凸部３０に発生する力のモーメントをできる限り小さくすることができる。そのため外装材１２の特に後凸部３０が欠損しにくくなる。
【００３２】
ここで、水平片３に対して略垂直な内向き片７で水平片３を支持していれば、上側の外装材１２の下方への荷重が水平片３に掛かっても、水平片３が垂れ下がりにくくなり、外装材１２のがたつきを抑制することができるものである。また突出片６に内向き片７及び外向き片８が互い違いに設けられていれば、突出片６の変形を抑制することができるものである。よって、外装材１２を建物の壁下地１５に強固に取り付けることができるものである。
【００３３】
また上支持片４は、水平片３の略全長において分断されることなく連続して設けられていることによって、外装材１２を支持する支持範囲が広くなるため、外装材１２を建物の壁下地１５に強固に取り付けることができるものである。
【００３４】
ここで、従来においては図６（ａ）に示すように、外装材取付金具１の上支持片４は、上側の外装材１２の下端の後凸部３０とほぼ隙間なく係合して支持している。この場合、例えば負圧などにより外装材１２を建物から引き剥がす方向に想定以上の外力が作用すると、特に外装材１２の下端の後凸部３０の先端の動きが外装材取付金具１の上支持片４の根元付近で規制される。そうすると、後凸部３０の先端からその根元付近までの長さに応じた力のモーメントが発生し、後凸部３０の根元付近に応力が集中して、使用環境によっては後凸部３０が欠損するおそれがある。そのため、本発明においては図６（ｂ）に示すように、上支持片４の先端を係合凹所１３内の後面１３ａ（すなわち後凸部３０の前面、以下同じ）の根元付近に接触させると共に、上支持片４と係合凹所１３内の後面１３ａとを非平行とすることによって、上支持片４と係合凹所１３内の後面１３ａの下端部付近との間に隙間を形成する。これにより、外装材１２に外力が作用しても、後凸部３０の根元付近が上支持片４の先端付近で動きが規制されて外力を受けることとなり、外装材１２の下端部の支持部分である後凸部３０に発生する力のモーメントをできる限り小さくすることができる。そのため外装材１２の特に後凸部３０が欠損しにくくなることによって、外装材１２が剥がれにくくなって、外装材１２を建物の壁下地１５に強固に取り付けることができるものである。
【００３５】
また、従来においては図６（ａ）に示すように、外装材取付金具１の下支持片５は、下側の外装材１２の上端の係合凸部１４とほぼ隙間なく係合して支持している。この場合、例えば負圧などにより外装材１２を建物から引き剥がす方向に想定以上の外力が作用すると、特に外装材１２の上端の係合凸部１４の先端の動きが外装材取付金具１の下支持片５の根元付近で規制される。そうすると、係合凸部１４の先端からその根元付近までの長さに応じた力のモーメントが発生し、係合凸部１４の根元付近に応力が集中して、使用環境によっては係合凸部１４が欠損するおそれがある。そのため、本発明においては図６（ｂ）に示すように、下支持片５の先端を係合凸部１４の前面１４ａの根元付近に接触させると共に、下支持片５と係合凸部１４の前面１４ａとを非平行とすることによって、下支持片５と係合凸部１４の前面１４ａとの間に隙間を形成する。これにより、外装材１２に外力が作用しても、係合凸部１４の根元付近が下支持片５の先端付近で動きが規制されて外力を受けることとなり、外装材１２の上端部の支持部分である係合凸部１４に発生する力のモーメントをできる限り小さくすることができる。そのため外装材１２の特に係合凸部１４が欠損しにくくなることによって、外装材１２が剥がれにくくなって、外装材１２を建物の壁下地１５に強固に取り付けることができるものである。
【符号の説明】
【００３６】
１  外装材取付金具
２  固定板
３  水平片
４  上支持片
５  下支持片
６  突出片
７  内向き片
８  外向き片
９  補強用リブ
１０  固定用孔
１１  欠損部
１２  外装材
１３  係合凹所
１４  係合凸部
１５  壁下地
１６  固定具
【図１】
2014145207.tif 000003
【図２】
2014145207.tif 000004
【図３】
2014145207.tif 000005
【図４】
2014145207.tif 000006
【図５】
2014145207.tif 000007
【図６】
2014145207.tif 000008